(57)【要約】【課題】体に対する運動負荷を殆ど無くし、有酸素運動を有効に行ことができながら効率的に脂肪燃焼を行うことができるところの運動治療装置を提供すること。【解決手段】運動治療装置であって、略水平の軸心回りに上下に所定の回転角度範囲で回動する踏み板を備え、該踏み板が電動によって強制駆動されるように構成され、人体に対して運動を促す電動運動機器と、高濃度酸素ガス供給手段と、前記高濃度酸素ガス供給手段からの酸素を供給する吸気手段とからなる。【選択図】図１
0003123020.tif 000002
【実用新案登録請求の範囲】
【請求項１】
運動治療装置であって、
略水平の軸心Ｐ１回りに上下に所定の回転角度範囲で回動する踏み板１Ａを備え、該踏み板１Ａが電動によって強制駆動されるように構成され、人体に対して運動を促す電動運動機器１と、
高濃度酸素ガス供給手段２と、
前記高濃度酸素ガス供給手段２からの酸素を供給する吸気手段３と、からなることを特徴とする運動治療装置。
【請求項２】
前記吸気手段３が、酸素濃度調節手段３Ａを備えた吸気マスク３Ｂを該吸気マスク３Ｂと前記高濃度酸素ガス供給手段２とを繋ぐ吸気チューブ３Ｃとから構成されていることを特徴とする請求項１の運動治療装置。
【請求項４】
少なくとも前記電動運動機器１を囲繞する運動治療室４と、該運動治療室４を、３０℃から４０℃の範囲で温度調節するよう構成されている空調手段５とが設けられていることを特徴とする請求項１又は請求項２の運動治療装置。
【考案の詳細な説明】
【技術分野】
【０００１】  本考案は、人体に対して強制的に外力を付与して運動を行わせる電動運動機器を用いた運動治療装置に関する。
【背景技術】
【０００２】  運動機器としては、大別すると、筋力アップを図る目的のトレーニング機器と、美容、特にダイエットを目的とした治療機器とがある。
勿論、筋力アップを図るトレーニング機器を用いて脂肪の燃焼を図り、ダイエットを行うことも広く行われている。
又、人体の局所的な皮下脂肪を落とことを目的とした治療機器としては、例えば、腰や大腿部に巻回したベルトを振動させる方式が比較的古くから汎用されている。【０００３】  こうしたトレーニング機器乃至治療機器としては、例えば、次のものが知られている。
【特許文献１】特開平９−１０８２８７。マッサージ用ベルト。
【特許文献２】実開平５−７６４３２。振動体付ベルト・バックル。
【考案の開示】
【考案が解決しようとする課題】
【０００４】  これらの機器のうち、筋力アップを図るトレーニング機器については、通常、高負荷のものが多く、脂肪燃焼を伴う有酸素運動である点においては優れているが、本来、スポーツ選手等の体力向上を図ることを目的としており、美容、ダイエットを行おうとする一般人、特に日常運動を行っていない者にとっては、寧ろ苦痛となるもので、こうした目的には合致しない。また、高負荷の運動を行う際には、寧ろ、筋肉の緊張を伴う時間がトータルとして長くなるところから、呼吸の回数が少なくなり、有酸素運動としての酸素摂取量が激減する。例えぱ、短距離走１００Ｍでは、呼吸は１回乃至２回程度であるとさえ言われている。【０００５】  これに対し、上記引用文献に挙げた美容乃至肥満解消を目的として、人体の局所的な皮下脂肪（内臓脂肪）を燃焼させようとする治療器年は、低負荷乃至無負荷である点で、一般人の前記目的達成には向いている。
しかし、こうした機器は、人体の局所をベルトの振動、摩擦によってマッサージし、皮下脂肪を燃焼させようとするが、これだけでは効果は低いものである。【０００６】  本考案は、かかる問題に鑑み、人体に対する運動負荷を殆ど無くし、有酸素運動を有効に行ことができながら効率的に脂肪燃焼を行うことができるところの運動治療装置を提供することを目的とする。
【課題を解決するための手段】
【０００７】  本考案にかかる運動治療装置は、上記目的を達成するために、
運動治療装置であって、
略水平の軸心Ｐ１回りに上下に所定の回転角度範囲で回動する踏み板１Ａを備え、該踏み板１Ａが電動によって強制駆動されるように構成され、人体に対して運動を促す電動運動機器１と、
高濃度酸素ガス供給手段２と、
前記高濃度酸素ガス供給手段２からの酸素を供給する吸気手段３と、からなることを特徴とする。
【考案の効果】
【０００８】  本考案によれば、電動運動機器１によって人体に運動を促すので、運動者自身の心臓に対する負荷が殆ど掛からないのであり（非運動時と同じ脈拍数であった）、この状態において人体の局所、特に、大腿部や臀部、腹部に対して運動（振動）が行われながら、高濃度酸素ガスを摂取するので、その局所的な運動部分における脂肪燃焼が著しく促進されることになるのであり、これによって、効率良くダイエットを図ることができるのである。【０００９】  このように、踏み板１Ａに乗った運動者は、両足を上下運動させられることになるが、その結果、運動者は立ち姿勢（手でフレームを把持して安定姿勢を保つだけ）で、格別の運動ふかを感じることなく、脚、臀部、腹部の局所的運動が行われ、高濃度酸素ガスの吸引によって運動が行われている部分での脂肪燃焼が促進されるのである。
【考案の実施の態様】
【００１０】  また、前記吸気手段３が、酸素濃度調節手段３Ａを備えた吸気マスク３Ｂを該吸気マスク３Ｂと前記高濃度酸素ガス供給手段２とを繋ぐ吸気チューブ３Ｃとから構成されていることが好ましい。
これによって、高濃度酸素ガス手段２によって供給される酸素濃度を運動者の体調、気分に応じて調節して用いることができ、個人の身体特徴、心肺機能に応じた酸素の摂取が行い得る。
【００１１】  更に、少なくとも前記電動運動機器１を囲繞する運動治療室４と、該運動治療室４を、３０℃から４０℃の範囲で温度調節するよう構成されている空調手段５とが設けられていることが好ましい。
このように、運動者を比較的高温の条件下において運動を行わせることで、筋肉の柔軟性を高めるとともに発汗を促し、体脂肪率のみならず、余分な水分を飛ばして老廃物を排出すると共に体水分率も下げることができる。
【００１２】  そして、前記空調手段５が、前記運動治療室４を３０℃から４０℃の範囲で温度調節するよう構成されているので、比較的高温とするもとで、サウナのような状況を作り出し、発汗を積極的に促しながら、全身の血行を高め、全身に高濃度酸素ガスを吸引した血液を循環させて、脂肪燃焼を行わせることができる。
【実施例】
【００１３】  以下、本考案にかかる運動治療装置の好適実施例について、図面を参照して詳述する。
図１に示すように、この運動治療装置は、人体に対して運動を促す電動運動機器１と、高濃度酸素ガス供給手段２と、前記高濃度酸素ガス供給手段２からの酸素を供給する吸気手段３とから構成されている。この高濃度酸素ガス供給手段２としては、ここでは、吸着剤（オキシファイブ・商品名）を用いた吸着方式の既存の酸素Ｐ．Ｓ．Ａ．（商品名：ベルスイング）で、大気から窒素ガスを分離するが、その反作用として酸素濃度が９０〜９５％以上の酸素ガスを得ることができるものであり、酸素供給の能力は、毎分４リットル乃至１００リットル程度である。しかし、一般の酸素ガスボンベを用いてもよい。【００１４】  前記可動運動機器１は、略水平の軸心Ｐ１、ここでは、両足の間を通る縦方向で、上下に所定の回転角度範囲で回動する踏み板１Ａを備えている。この踏み板１Ａは、機器１の本体に内蔵された電動モーター（図外）によって強制駆動されるように構成されている。このメカニズムについては、機械要素として理解される範囲の技術であるのでその詳細説明を省く。尚、前記電動運動機器１としては、運動者自身の意思による運動ではなく、外的エネルギーを用いて運動を与える種類の機器であれば、どのような型の機器でも良い。実施例で示す型の機器の他に、例えば、所定の筋肉が収縮を起こす特定の周波数の振動を付与する電子機器も用いてよい。【００１５】  そして、前記吸気手段３は、酸素濃度調節手段３Ａを備えた吸気マスク３Ｂと、該吸気マスク３Ｂと前記高濃度酸素ガス供給手段２とを繋ぐ吸気チューブ３Ｃとから構成されている。前記吸気マスク３Ｂは、公知の構造のものでよく、図２に示す如く、そこに設けられる酸素濃度調節手段３Ａは、ここでは、大気取り入れ口３ａを絞り調節する開閉部材（スライド操作）で構成している。しかし、所定の混合比率、例えば、酸素濃度が３０％から５０％となるように、酸素ガスの供給量に見合った開口を複数個開けておくような手段としてもよい。【００１６】  更に、本実施例においては、前記電動運動機器１を囲繞する運動治療室４と、該運動治療室４を室温よりも高い温度に設定する空調手段５とが設けられている。尚、この実施例では、運動治療室４には、前記高濃度酸素ガス供給手段２も備えられているが、これは、運動治療室４の外に配置し、前記吸気チューブ３Ｃを運動治療室４の中に導入するようにしてもうよい。【００１７】  そして、前記空調手段５は、前記運動治療室４の外部に設置されており、該運動治療室４を３０℃から４０℃の範囲で温度調節するよう構成された、実質的にヒーター及び循環用のブロアから成るものである。尚、この空調手段５について、運動治療室４の内部に設置してよいことは勿論であり、この場合には、ヒーター機能のみでよい。
図１において、６は、吸引孔、７は温風の排気口である。【００１８】  上記装置を用いて運動治療を行った結果を次に示す。
測定に際しては、体組成測定器（ＢＯＣＡ：商品名）を用いた。
運動開始時：
体重：８１．４Ｋｇ
ウエスト：９８ｃｍ
体脂肪率：２５．０
運動治療時間：平均２０分／日
運動治療日数：１２日
結果：
体重７７．３Ｋｇ
ウエスト：９３ｃｍ
体脂肪率：２３．１
上記体重変動については、発汗に伴う減量も含まれる。
【産業上の利用可能性】
【００１９】  本考案によれば、電動運動機器と、高濃度酸素ガス供給手段と、前記高濃度酸素ガス供給手段からの酸素を供給する吸気手段とからなるものであるから、一般のトレーニング施設に設置することができ、また、日頃、運動を行わない高齢者、肥満体質者にも適用できる。
【図面の簡単な説明】
【００２０】
【図１】本考案の装置の全体を示す斜視図。
【図２】本考案の装置の要部を示す斜視図。
【符号の説明】
【００２１】  １：電動運動機器
１Ａ：踏み板
２：高濃度酸素ガス供給手段
３：吸気手段
３Ａ：酸素濃度調節手段
３Ｃ：吸気チューブ
４：運動治療室
５：空調手段
Ｐ１：軸心
【図１】
0003123020.tif 000003
【図２】
0003123020.tif 000004
【手続補正書】
【提出日】平成18年3月25日(2006.3.25)
【手続補正１】
【補正対象書類名】実用新案登録請求の範囲
【補正対象項目名】全文
【補正方法】変更
【補正の内容】
【実用新案登録請求の範囲】
【請求項１】
運動治療装置であって、
略水平の軸心Ｐ１回りに上下に所定の回転角度範囲で回動する踏み板１Ａを備え、該踏み板１Ａが電動によって強制駆動されるように構成され、人体に対して運動を促す伝導運動機器１と、
高濃度酸素ガス供給手段２と、
前記高濃度酸素ガス供給手段２からの酸素を供給する吸気手段３と、からなることを特徴とする運動治療装置。
【請求項２】
前記吸気手段３が、酸素濃度調節手段３Ａを備えた吸気マスク３Ｂを該吸気マスク３Ｂと前記高濃度酸素ガス供給手段２とを繋ぐ吸気チューブ３Ｃとから構成されていることを特徴とする請求項１の運動治療装置。
【請求項３】
少なくとも前記伝導運動機器１を囲繞する運動治療室４と、該運動治療室４を、３０℃から４０℃の範囲で温度調節するように構成されている空調手段５とが設けられていることを特徴とする請求項１又は請求項２の運動治療装置。